(57)【要約】【課題】高圧用の減圧手段に対し低圧機器を接続して使用できるようにし、また低圧機器に高圧空気が供給されるのを防止する。【解決手段】高圧用継手１４に対して低圧用アダプタ継手２１を取付ける。そして、低圧用アダプタ継手２１は、高圧用継手１４に取付可能な流入側取付口２２と、低圧機器が取付可能な流出側取付口２３と、高圧空気が供給されたときに、その一部を外部に逃すリリーフ弁２５とによって構成している。従って、高圧用減圧弁１１を低圧側に調整し、高圧用継手１４に低圧用アダプタ継手２１を取付けることにより、高圧機器が取付けられる高圧継手１４を利用し、低圧用アダプタ継手２１を介して低圧機器である床板用釘打ち機２８等を取付けることができる。【選択図】　　　　図５
2004036401.tif 000002
【特許請求の範囲】
【請求項１】
空気を圧縮する圧縮手段と、
該圧縮手段によって圧縮された空気を減圧して吐出する減圧手段と、
該減圧手段の吐出側に接続され、高圧な圧縮空気で駆動する高圧機器が取付け、取外し可能に接続される高圧用接続口が設けられた高圧用継手と、
該高圧用継手に取付け、取外し可能に取付けられる低圧用アダプタ継手とからなり、
前記低圧用アダプタ継手は、前記高圧用継手の高圧用接続口に取付けられる流入側取付口と、前記高圧空気よりも低い低圧空気で駆動する低圧機器が取付け、取外し可能に取付けられる流出側取付口と、前記流入側取付口と流出側取付口との間に設けられ所定値以上の高圧空気が該流出側取付口に流出するのを規制する規制手段とによって構成してなる空気圧縮機。
【請求項２】
空気を圧縮する圧縮手段と、
該圧縮手段によって圧縮された空気を減圧して吐出する減圧手段と、
流入側が該減圧手段の吐出口に取付け、取外し可能に取付けられる取付口となり、流出側が高圧な圧縮空気で駆動する高圧機器が取付け、取外し可能に接続される高圧用接続口となった高圧用継手と、
該高圧用継手に交換して前記減圧手段に取付け、取外し可能に取付けられる低圧用アダプタ継手とからなり、
該低圧用アダプタ継手は、前記減圧手段の吐出口に取付けられる流入側取付口と、前記高圧空気よりも低い低圧空気で駆動する低圧機器が取付け、取外し可能に取付けられる流出側取付口と、前記流入側取付口と流出側取付口との間に設けられ所定値以上の高圧空気が該流出側取付口に流出するのを規制する規制手段とによって構成してなる空気圧縮機。
【請求項３】
前記規制手段は、前記減圧手段から前記低圧機器を駆動する圧力よりも高圧な圧縮空気が供給されたときに、この圧縮空気の一部を外部に放出するリリーフ弁として形成してなる請求項１または２に記載の空気圧縮機。
【請求項４】
前記規制手段は、前記減圧手段から前記低圧機器を駆動する圧力よりも高圧な圧縮空気が供給されたときに、前記流入側取付口から流出側取付口への空気の流れを遮断する遮断弁として形成してなる請求項１または２に記載の空気圧縮機。
【請求項５】
空気を圧縮する圧縮手段と、
該圧縮手段によって圧縮された空気を高圧に減圧して吐出可能な一方の減圧手段と、
前記圧縮手段によって圧縮された空気を前記一方の減圧手段より低い上限圧まで減圧して吐出可能な他方の減圧手段と、
一方の減圧手段の吐出側に接続され、高圧な圧縮空気で駆動する高圧機器が取付け、取外し可能に接続される高圧用接続口が設けられた高圧用継手と、
他方の減圧手段の吐出側に接続され、前記高圧空気よりも低圧な圧縮空気で駆動する低圧機器が取付け、取外し可能に接続される低圧用接続口が設けられた低圧用継手と、
前記高圧用継手に取付け、取外し可能に取付けられる低圧用アダプタ継手とからなり、
前記低圧用アダプタ継手は、前記高圧用継手の高圧用接続口に取付けられる流入側取付口と、前記低圧機器が取付け、取外し可能に取付けられる流出側取付口と、前記流入側取付口と流出側取付口との間に設けられ所定値以上の高圧空気が該流出側取付口に流出するのを規制する規制手段とによって構成してなる空気圧縮機。
【請求項６】
高圧な圧縮空気で駆動する高圧機器が接続される圧縮手段側の高圧用接続口に取付け、取外し可能に取付けられる流入側取付口と、前記高圧空気よりも低い低圧空気で駆動する低圧機器が取付け、取外し可能に取付けられる流出側取付口と、前記流入側取付口と流出側取付口との間に設けられ所定値以上の高圧空気が該流出側取付口に流出するのを規制する規制手段とによって構成してなる空気圧縮機に用いる低圧用アダプタ継手。
【発明の詳細な説明】
【０００１】
【発明の属する技術分野】
本発明は、圧縮手段からの圧縮空気を高圧機器または低圧機器に供給するのに好適に用いられる空気圧縮機およびそれに用いる低圧用アダプタ継手に関する。
【０００２】
【従来の技術】
一般に、空気圧縮機は、様々な作業現場で使用され、例えば建設現場では、空圧式の釘打ち機等の空圧機器を駆動する空圧源として用いられている。この空気圧縮機は、モータによって駆動されることにより圧縮空気を吐出する圧縮部と、該圧縮部から吐出された圧縮空気を貯留する貯留タンクと、該貯留タンクに接続して設けられ、該貯留タンクに貯留された圧縮空気を使用対象となる釘打ち機の使用圧力まで減圧する減圧弁と、該減圧弁の吐出口にねじ嵌合で接続して設けられ、前記釘打ち機から延びるホース先端の取付口が取付け、取外し可能に取付けられる接続口を備えた継手とによって大略構成されている。
【０００３】
ここで、釘打ち機には、厚い床板に釘を打付けるもの、薄い壁板に釘を打付けるもの、コンクリートや鋼材に釘を打付けるもの等があり、それぞれの釘打ち機は使用圧力が異なっている。例えば、床板用の釘打ち機の使用圧力は０．７ＭＰａ程度、壁板用の釘打ち機の使用圧力は０．５ＭＰａ程度といずれも一般的な圧力（以下、低圧という）で使用される。これに対し、コンクリート、鋼材用の釘打ち機の使用圧力は１．５〜２．５ＭＰａ程度と高い圧力で使用される。
【０００４】
また、空気圧縮機には、貯留タンクに２つの減圧弁を設けたものがあり、それぞれの減圧弁に継手が設けられている。そして、２つの減圧弁のうち一方の減圧弁を上限が１．０ＭＰａ程度となる低圧設定用とし、他方の減圧弁を上限が３．０ＭＰａ程度となる高圧設定用としている。
【０００５】
これに伴い、低圧用の釘打ち機が誤まって高圧用の釘打ち機を接続する高圧用継手に接続されないように、低圧設定用の減圧弁には低圧用接続口が設けられた低圧用継手を取付け、高圧設定用の減圧弁には高圧用接続口が設けられた高圧用継手を取付ける構成としている。また、前記高圧用接続口と低圧用接続口は、それぞれねじ形状となっており、互いのねじの仕様が異なるため相互には組付かないようになっている。
【０００６】
このように構成された従来技術の空気圧縮機では、低圧用の減圧弁を調整して吐出側の圧力を０．５〜０．７ＭＰａ程度に設定し、この状態で低圧用継手の低圧用接続口に床板用の釘打ち機を接続することにより、床板に釘を打付けることができる。これと同時に、高圧用の減圧弁を調整して吐出側の圧力を１．５〜２．５ＭＰａ程度に設定し、この状態で高圧用継手の高圧用接続口にコンクリート用の釘打ち機を接続することにより、コンクリート壁等に対して釘を打付けることができる。
【０００７】
【発明が解決しようとする課題】
ところで、上述した従来技術による空気圧縮機は、低圧用の減圧弁と高圧用の減圧弁との２つの減圧弁を設けることにより、低圧用の釘打ち機と高圧用の釘打ち機を同時に使用することができる。
【０００８】
しかし、例えば床板に釘を打付ける作業と壁板に釘を打付ける作業とを同時に行いたい場合でも、低圧用の減圧弁は１個しか設けられていないから、低圧用でも使用圧力が異なる場合には、床板用の釘打ち機と壁板用の釘打ち機とのうち、いずれか一方の釘打ち機しか使用することができないという問題がある。
【０００９】
また、高圧用の減圧弁が１個だけ設けられている空気圧縮機の場合、低圧用の釘打ち機を使用することができないから、別途低圧用の空気圧縮機が必要になるという問題がある。
【００１０】
本発明は上述した従来技術の問題に鑑みなされたもので、本発明の目的は、高圧用の減圧手段に対し低圧機器を接続して使用することができ、また低圧機器に高圧空気が供給されるのを防止できるようにした空気圧縮機およびそれに用いる低圧用アダプタ継手を提供することにある。
【００１１】
【課題を解決するための手段】
上述した課題を解決するために、請求項１の発明による空気圧縮機は、空気を圧縮する圧縮手段と、該圧縮手段によって圧縮された空気を減圧して吐出する減圧手段と、該減圧手段の吐出側に接続され、高圧な圧縮空気で駆動する高圧機器が取付け、取外し可能に接続される高圧用接続口が設けられた高圧用継手と、該高圧用継手に取付け、取外し可能に取付けられる低圧用アダプタ継手とからなり、前記低圧用アダプタ継手は、前記高圧用継手の高圧用接続口に取付けられる流入側取付口と、前記高圧空気よりも低い低圧空気で駆動する低圧機器が取付け、取外し可能に取付けられる流出側取付口と、前記流入側取付口と流出側取付口との間に設けられ所定値以上の高圧空気が該流出側取付口に流出するのを規制する規制手段とによって構成している。
【００１２】
このように構成したことにより、高圧用継手の高圧用接続口に高圧機器を接続することにより、該高圧機器を使用して作業を行なうことができる。
【００１３】
一方、低圧機器を使用する場合には、高圧用継手の高圧用接続口に低圧用アダプタ継手の流入側取付口を取付ける。この状態で、低圧用アダプタ継手の流出側取付口に低圧機器を取付けることにより、高圧用継手に低圧用アダプタ継手を介して低圧機器を接続することができ、該低圧機器を使用して作業を行なうことができる。
【００１４】
次に、請求項２の発明による空気圧縮機は、空気を圧縮する圧縮手段と、該圧縮手段によって圧縮された空気を減圧して吐出する減圧手段と、流入側が該減圧手段の吐出口に取付け、取外し可能に取付けられる取付口となり、流出側が高圧な圧縮空気で駆動する高圧機器が取付け、取外し可能に接続される高圧用接続口となった高圧用継手と、該高圧用継手に交換して前記減圧手段に取付け、取外し可能に取付けられる低圧用アダプタ継手とからなり、該低圧用アダプタ継手は、前記減圧手段の吐出口に取付けられる流入側取付口と、前記高圧空気よりも低い低圧空気で駆動する低圧機器が取付け、取外し可能に取付けられる流出側取付口と、前記流入側取付口と流出側取付口との間に設けられ所定値以上の高圧空気が該流出側取付口に流出するのを規制する規制手段とによって構成している。
【００１５】
このように構成したことにより、高圧用継手の高圧用接続口に高圧機器を接続することにより、該高圧機器を使用して作業を行なうことができる。
【００１６】
一方、低圧機器を使用する場合には、減圧手段から高圧用継手を取外し、該高圧用継手に交換して低圧用アダプタ継手の流入側取付口を減圧手段の吐出口に取付ける。この状態で、低圧用アダプタ継手の流出側取付口に低圧機器を取付けることにより、減圧手段に低圧用アダプタ継手を介して低圧機器を接続することができ、該低圧機器を使用して作業を行なうことができる。
【００１７】
請求項３の発明によると、規制手段は、減圧手段から低圧機器を駆動する圧力よりも高圧な圧縮空気が供給されたときに、この圧縮空気の一部を外部に放出するリリーフ弁として形成したことにある。
【００１８】
このように構成したことにより、規制手段は、減圧手段から高圧な圧縮空気が供給されたときに、この圧縮空気の一部を外部に放出し、低圧機器に適した低圧空気だけを該低圧機器に供給することができる。
【００１９】
請求項４の発明によると、規制手段は、減圧手段から低圧機器を駆動する圧力よりも高圧な圧縮空気が供給されたときに、流入側取付口から流出側取付口への空気の流れを遮断する遮断弁として形成したことにある。
【００２０】
このように構成したことにより、規制手段は、減圧手段から高圧な圧縮空気が供給されたときに、流入側取付口と流出側取付口との間で空気の流れを遮断し、低圧機器への高圧空気の供給を阻止することができる。
【００２１】
一方、請求項５の発明による空気圧縮機は、空気を圧縮する圧縮手段と、該圧縮手段によって圧縮された空気を高圧と低圧の２つの値に減圧して吐出する２つの減圧手段と、一方の減圧手段の吐出側に接続され、高圧な圧縮空気で駆動する高圧機器が取付け、取外し可能に接続される高圧用接続口が設けられた高圧用継手と、他方の減圧手段の吐出側に接続され、前記高圧空気よりも低圧な圧縮空気で駆動する低圧機器が取付け、取外し可能に接続される低圧用接続口が設けられた低圧用継手と、前記高圧用継手に取付け、取外し可能に取付けられる低圧用アダプタ継手とからなり、前記低圧用アダプタ継手は、前記高圧用継手の高圧用接続口に取付けられる流入側取付口と、前記低圧機器が取付け、取外し可能に取付けられる流出側取付口と、前記流入側取付口と流出側取付口との間に設けられ所定値以上の高圧空気が該流出側取付口に流出するのを規制する規制手段とによって構成している。
【００２２】
このように構成したことにより、高圧用継手の高圧用接続口に高圧機器を接続することにより、該高圧機器を使用して作業を行なうことができる。
【００２３】
また、低圧用継手の低圧用接続口に低圧機器を接続することにより、該低圧機器を使用して作業を行なうことができる。
【００２４】
一方、低圧用減圧手段に接続した低圧機器とは異なる使用圧力の他の低圧機器を使用する場合には、高圧用継手の高圧用接続口に低圧用アダプタ継手の流入側取付口を取付ける。この状態で、低圧用アダプタ継手の流出側取付口に他の低圧機器を取付けることにより、高圧用継手に低圧用アダプタ継手を介して使用圧力が異なる低圧機器を接続することができ、該低圧機器を使用して作業を行なうことができる。
【００２５】
さらに、高圧用継手に低圧用アダプタ継手を接続し、該低圧用アダプタ継手に他の低圧機器を接続したときに、低圧用アダプタ継手の規制手段は、高圧空気によって低圧機器が損傷するのを防止することができる。
【００２６】
さらに、請求項６の発明による空気圧縮機に用いる低圧用アダプタ継手は、高圧な圧縮空気で駆動する高圧機器が接続される圧縮手段側の高圧用接続口に取付け、取外し可能に取付けられる流入側取付口と、前記高圧空気よりも低い低圧空気で駆動する低圧機器が取付け、取外し可能に取付けられる流出側取付口と、前記流入側取付口と流出側取付口との間に設けられ所定値以上の高圧空気が該流出側取付口に流出するのを規制する規制手段とによって構成している。
【００２７】
このように構成したことにより、低圧機器を使用する場合には、圧縮手段側の高圧用接続口に流入側取付口を取付ける。この状態で、流出側取付口に低圧機器を取付けることにより、圧縮手段側に低圧用アダプタ継手を介して低圧機器を接続することができ、該低圧機器を使用して作業を行なうことができる。
【００２８】
【発明の実施の形態】
以下、本発明の実施の形態による空気圧縮機としてタンク一体型の圧縮機を例に挙げ、添付図面に従って詳細に説明する。
【００２９】
まず、図１ないし図７は本発明の第１の実施の形態を示している。１は本実施の形態に適用されるタンク一体型の空気圧縮機で、該空気圧縮機１は、図１、図２に示す如く、後述の貯留タンク２，３、圧縮部５、駆動モータ６、低圧用減圧弁７、低圧用継手１０、高圧用減圧弁１１、高圧用継手１４、低圧用アダプタ継手２１等によって大略構成されている。
【００３０】
２，３は左，右方向に離間して互いに並行に延び、後述の圧縮部５と一緒に圧縮手段を構成する一対の貯留タンクで、該各貯留タンク２，３は、後述の圧縮部５から供給される圧縮空気を貯えるもので、その内圧（一次圧）は例えば２．５〜３．５ＭＰａ程度となる。ここで、各貯留タンク２，３は、例えばアルミニウム材料から略円筒状の密閉容器として形成され、連結ステー（図示せず）によって互いに連結されている。また、左，右の貯留タンク２，３は、連結配管４によって連通され、左側の貯留タンク２は、後述する高圧側の圧縮機構５Ｃに接続されている。
【００３１】
５は各貯留タンク２，３間の後側寄りに取付けられた圧縮手段をなす圧縮部で、該圧縮部５は、クランクケース５Ａと、該クランクケース５Ａの相対位置に配設された低圧側の圧縮機構５Ｂ、高圧側の圧縮機構５Ｃとからなる、所謂水平対向型の２段式空気圧縮機として構成されている。
【００３２】
６は各貯留タンク２，３間に位置して圧縮部５の前側に設けられた駆動モータで、該駆動モータ６は、外部から給電されることにより駆動軸（図示せず）を介して圧縮部５を駆動するものである。
【００３３】
７は左側の貯留タンク２の前側に取付けられた減圧手段としての低圧用減圧弁で、該低圧用減圧弁７は、図３に示すように、貯留タンク２，３に貯えられた一次圧の圧縮空気を調整用つまみ７Ａを操作することにより、後述する壁板用釘打ち機２７、床板用釘打ち機２８等の低圧機器の使用圧力の上限、例えば０．３〜１．０ＭＰａ程度の範囲で二次圧に減圧するものである。
【００３４】
８は低圧用減圧弁７に取付けられた低圧用圧力計で、該圧力計８は、低圧用減圧弁７によって設定された二次圧を表示するもので、該低圧用減圧弁７の設定圧力に対応し、例えば０〜１．０ＭＰａの範囲で二次圧力を表示する（図５参照）。
【００３５】
９は低圧用減圧弁７に接続され、該低圧用減圧弁７の吐出口を構成する低圧側の分岐管で、該分岐管９は、一側が低圧用減圧弁７に接続され、他側が上，下方向にＴ字状に分岐し前側に屈曲して２つの屈曲管９Ａ，９Ａとなっている。
【００３６】
ここで、屈曲管９Ａの先端側の内周には、後述する低圧用継手１０の接続口１０Ａが螺合して接続される雌ねじ（図示せず）が刻設され、この雌ねじは、後述する高圧用継手１４が誤まって取付けられるのを防止するため、高圧側の分岐管１３に形成された左ねじからなる雌ねじと区別し、右ねじとして形成されている。なお、この右ねじの雌ねじと雄ねじ、左ねじの雌ねじと雄ねじの形状の違いは、構成図として示す図５中で、右ねじは２つ谷と２つ山、左ねじは１つ谷と１つ山として形状を異ならせて表現している。
【００３７】
１０は分岐管９に取付けられた２個の低圧用継手で、該低圧用継手１０は、低圧用減圧弁７によって減圧された低圧な圧縮空気を外部に取出すもので、例えばチェック弁を内蔵した急速継手として形成されている。また、低圧用継手１０は、図５に示す如く、軸方向の一側に位置して外周側に右ねじ（２つ山）が刻設された接続口１０Ａと、他側に位置して後述する壁板用釘打ち機２７の接続口２７Ｂまたは床板用釘打ち機２８の接続口２８Ｂが接続される低圧用接続口１０Ｂと、前記接続口１０Ａと低圧用接続口１０Ｂとを連通する連通路１０Ｃとを備えている。そして、低圧用継手１０は、その接続口１０Ａを分岐管９の屈曲管９Ａに螺着することにより、低圧用減圧弁７に対して取付けられている。
【００３８】
ここで、低圧用継手１０の低圧用接続口１０Ｂは、後述する高圧用継手１４の高圧用接続口１４Ｂと内径寸法、穴形状が異なり、本実施の形態では低圧用接続口１０Ｂは高圧用接続口１４Ｂよりも小径に形成されている。これにより、低圧用接続口１０Ｂは、高圧用であるコンクリート用釘打ち機２９が接続できないようにしている。
【００３９】
１１は右側の貯留タンク３の前部上側に取付けられた減圧手段としての高圧用減圧弁で、該高圧用減圧弁１１は、貯留タンク２，３に貯えられた一次圧の圧縮空気を調整用つまみ１１Ａを操作することにより、後述するコンクリート用釘打ち機２９等の高圧機器の使用圧力の上限、例えば１．５〜３．０ＭＰａ程度の範囲で二次圧に減圧するものである。
【００４０】
１２は高圧用減圧弁１１に取付けられた高圧用圧力計で、該圧力計１２は、高圧用減圧弁１１によって設定された二次圧を表示するもので、該高圧用減圧弁１１の設定圧力に対応し、例えば０〜３．０ＭＰａの範囲で二次圧力を表示する。
【００４１】
１３は高圧用減圧弁１１に接続され、該高圧用減圧弁１１の吐出口を構成する高圧側の分岐管で、該分岐管１３は、図４に示す如く、一側が高圧用減圧弁１１に接続され、他側が上，下方向にＴ字状に分岐し前側に屈曲して２つの屈曲管１３Ａ，１３Ａとなっている。
【００４２】
ここで、屈曲管１３Ａの先端側の内周には、後述する高圧用継手１４の接続口１４Ａが螺合して接続される雌ねじ（図示せず）が刻設され、この雌ねじは、図５に示すように、低圧側の分岐管９に形成された右ねじ（２つ谷）からなる雌ねじと区別するために、左ねじ（１つ谷）として形成されている。
【００４３】
１４は分岐管１３に取付けられた２個の高圧用継手で、該高圧用継手１４は、高圧用減圧弁１１によって減圧された高圧な圧縮空気を外部に取出すもので、例えばチェック弁を内蔵した急速継手として形成されている。また、高圧用継手１４は、図５に示す如く、軸方向の一側に位置して外周側に左ねじ（１つ山）が刻設された接続口１４Ａと、他側に位置して後述する低圧用アダプタ継手２１の流入側取付口２２またはコンクリート用釘打ち機２９の接続口２９Ｂが接続される高圧用接続口１４Ｂと、前記接続口１４Ａと高圧用接続口１４Ｂとを連通する連通路１４Ｃとを備えている。そして、高圧用継手１４は、その接続口１４Ａを分岐管１３の屈曲管１３Ａに螺着することにより、高圧用減圧弁１１に対して取付けられている。
【００４４】
ここで、高圧用継手１４の高圧用接続口１４Ｂは、前述した低圧用継手１０の低圧用接続口１０Ｂと異なった径の形状に形成されている。これにより、高圧用接続口１４Ｂは、低圧用である壁板用釘打ち機２７、床板用釘打ち機２８が誤まって接続されないようにしている。
【００４５】
次に、２１は高圧用継手１４に取付け、取外し可能に取付けられる低圧用アダプタ継手で、該低圧用アダプタ継手２１は、高圧用継手１４の高圧用接続口１４Ｂに着脱される急速継手として形成されている。また、低圧用アダプタ継手２１は、図６に示すように、軸方向の一側に位置して高圧用継手１４の高圧用接続口１４Ｂに取付けられる流入側取付口２２と、他側に位置して後述する壁板用釘打ち機２７の接続口２７Ｂまたは床板用釘打ち機２８の接続口２８Ｂが取付け、取外し可能に取付けられる流出側取付口２３と、前記流入側取付口２２と流出側取付口２３とを連通する連通路２４と、前記流入側取付口２２と流出側取付口２３との間に位置し、該連通路２４に接続して設けられた規制手段としてのリリーフ弁２５とによって大略構成されている。
【００４６】
ここで、流入側取付口２２は、高圧用継手１４の高圧用接続口１４Ｂにワンタッチで取付けることができる形状、即ち、コンクリート用釘打ち機２９の接続口２９Ｂとほぼ同じ形状（径寸法）に形成されている。
【００４７】
また、流出側取付口２３は、壁板用釘打ち機２７の接続口２７Ｂまたは床板用釘打ち機２８の接続口２８Ｂがワンタッチで接続することができる形状、即ち、低圧用継手１０の低圧用接続口１０Ｂとほぼ同じ形状（径寸法）に形成されている。
【００４８】
さらに、リリーフ弁２５は、連通路２４の途中に接続して設けられた弁室２５Ａと、該弁室２５Ａの連通路２４側に設けられた弁座２５Ｂと、前記弁室２５Ａ内に位置して該弁座２５Ｂに離着座する弁体２５Ｃと、該弁体２５Ｃを弁座２５Ｂに向けて付勢するばね部材２５Ｄと、前記弁室２５Ａを外部に開放する排気ポート２５Ｅとによって構成されている。
【００４９】
また、ばね部材２５Ｄの付勢力は、壁板用釘打ち機２７、床板用釘打ち機２８を安全に駆動できる圧力の上限、例えばほぼ１．０ＭＰａよりも高圧な圧縮空気が供給されたときに、弁体２５Ｃが弁座２５Ｂから離座するのを許すように設定されている。
【００５０】
そして、リリーフ弁２５は、常時はばね部材２５Ｄの付勢力で弁体２５Ｃを弁座２５Ｂに着座させている。一方、１．０ＭＰａを越える高圧空気が供給されたときには、弁座２５Ｂから弁体２５Ｃを離座させ、高圧空気の一部を排気ポート２５Ｅから外部に放出することにより、高圧空気が流出側取付口２３側に流れるのを防止することができる。
【００５１】
なお、２６は貯留タンク２，３の上側に取付けられたカバー（図１中に図示）で、該カバー２６は、圧縮部５、駆動モータ６等を覆うことにより、これらを保護するものである。
【００５２】
次に、２７は薄い壁板に釘を打付ける低圧機器としての壁板用釘打ち機（図５参照）で、該壁板用釘打ち機２７の使用圧力は、例えば０．５ＭＰａ程度となっている。また、壁板用釘打ち機２７には、エアホース２７Ａが接続され、該エアホース２７Ａの先端部には空気圧縮機１に接続するための接続口２７Ｂが設けられている。
【００５３】
また、２８は厚い床板に釘を打付ける低圧機器としての床板用釘打ち機で、該床板用釘打ち機２８の使用圧力は、例えば０．７ＭＰａ程度となっている。また、床板用釘打ち機２８には、エアホース２８Ａが接続され、該エアホース２８Ａの先端部には空気圧縮機１に接続するための接続口２８Ｂが設けられている。
【００５４】
ここで、壁板用釘打ち機２７の接続口２７Ｂと床板用釘打ち機２８の接続口２８Ｂは、低圧用継手１０の低圧用接続口１０Ｂまたは低圧用アダプタ継手２１の流出側取付口２３に取付け、取外し可能に取付けることができる。一方、高圧用継手１４の高圧用接続口１４Ｂには取付けることができないようになっている。
【００５５】
２９はコンクリート、鋼板等に釘を打付ける高圧機器としてのコンクリート用釘打ち機（図７参照）で、該コンクリート用釘打ち機２９の使用圧力は、例えば２．５ＭＰａ程度となっている。また、コンクリート用釘打ち機２９には、エアホース２９Ａが接続され、該エアホース２９Ａの先端部には空気圧縮機１に接続するための接続口２９Ｂが設けられている。
【００５６】
ここで、コンクリート用釘打ち機２９の接続口２９Ｂは、高圧用継手１４の高圧用接続口１４Ｂに取付け、取外し可能に取付けることができる。一方、低圧用継手１０の低圧用接続口１０Ｂまたは低圧用アダプタ継手２１の流出側取付口２３には取付けることができないようになっている。
【００５７】
本実施の形態によるタンク一体型の空気圧縮機１は上述の如き構成を有するもので、次に、その作動について説明する。
【００５８】
まず、駆動モータ６によって圧縮部５を駆動すると、低圧側の圧縮機構５Ｂが外気を吸込んで圧縮し、この圧縮空気を高圧側の圧縮機構５Ｃに供給する。これにより、高圧側の圧縮機構５Ｃは、低圧側の圧縮機構５Ｂからの圧縮空気をさらに圧縮して高圧な圧縮空気とし、貯留タンク２，３に供給する。
【００５９】
次に、貯留タンク２，３に貯留された圧縮空気を使用して釘打ち作業を行なう場合の手順について説明する。
【００６０】
まず、薄い壁板に釘を打付ける作業とコンクリート壁に釘を打付ける作業を同時に行なう場合には、図７に示す如く、壁板用釘打ち機２７の使用圧力に合わせ低圧用減圧弁７を調整して二次圧を０．５ＭＰａに設定する。この状態で、低圧用継手１０の低圧用接続口１０Ｂに壁板用釘打ち機２７の接続口２７Ｂを取付ける。これにより、作業者は、空気圧縮機１から供給される０．５ＭＰａの低圧空気によって壁板用釘打ち機２７を駆動し、壁板に釘を打付けることができる。
【００６１】
一方、コンクリート用釘打ち機２９の使用圧力に合わせ高圧用減圧弁１１を調整して二次圧を２．５ＭＰａに設定する。この状態で、高圧用継手１４の高圧用接続口１４Ｂにコンクリート用釘打ち機２９の接続口２９Ｂを取付ける。これにより、作業者は、空気圧縮機１から供給される２．５ＭＰａの高圧空気によってコンクリート用釘打ち機２９を駆動し、コンクリート壁に釘を打付けることができる。
【００６２】
次に、前述した壁板に釘を打付ける作業と床板に釘を打付ける作業、即ち、異なる圧力の低圧空気を用いて２つの作業を同時に行なう場合について説明する。
【００６３】
この場合には、図５に示す如く、床板用釘打ち機２８の使用圧力に合わせ高圧用減圧弁１１を調整して二次圧を０．７ＭＰａに設定する。この状態で、高圧用継手１４の高圧用接続口１４Ｂに低圧用アダプタ継手２１の流入側取付口２２を取付ける。
【００６４】
これにより、高圧用継手１４の高圧用接続口１４Ｂは、低圧用アダプタ継手２１によって床板用釘打ち機２８（低圧機器）が接続可能な流出側取付口２３に変換されるから、低圧用アダプタ継手２１の流出側取付口２３に床板用釘打ち機２８の接続口２８Ｂを取付けることができる。従って、作業者は、壁板用釘打ち機２７を用いて壁板に釘を打付ける作業と同時に、空気圧縮機１から供給される０．７ＭＰａの低圧空気によって床板用釘打ち機２８を駆動し、床板に釘を打付けることができる。
【００６５】
さらに、高圧用継手１４に低圧用アダプタ継手２１を介して床板用釘打ち機２８を接続したときに、例えば高圧用減圧弁１１の調整を忘れたり、調整を間違えることがある。このような場合には、床板用釘打ち機２８の使用圧力よりも高い高圧空気が供給されてしまう。
【００６６】
しかし、低圧用アダプタ継手２１には、高圧空気を外部に放出するリリーフ弁２５を設けているから、高圧空気が流入側取付口２２から連通路２４に流入すると、リリーフ弁２５は、ばね部材２５Ｄに抗して弁体２５Ｃを開弁させ、高圧空気の一部を排気ポート２５Ｅから外部に放出し、流出側取出口２３に流れる圧縮空気の圧力を１．０ＭＰａ以下まで下げることができる。これにより、床板用釘打ち機２８、エアホース２８Ａ等が高圧空気によって損傷するのを防止することができる。
【００６７】
かくして、本実施の形態によれば、低圧用アダプタ継手２１は、高圧用継手１４の高圧用接続口１４Ｂに対して取付可能な流入側取付口２２と、壁板用釘打ち機２７の接続口２７Ｂまたは床板用釘打ち機２８の接続口２８Ｂが取付可能な流出側取付口２３と、前記流入側取付口２２と流出側取付口２３とを連通する連通路２４に接続して設けられ、高圧空気が供給されたときに、この圧縮空気の一部を外部に放出するリリーフ弁２５とによって構成している。従って、高圧用減圧弁１１を低圧側に調整し、高圧用継手１４に低圧用アダプタ継手２１を取付けるだけで、この高圧用のユニットを利用して低圧機器である床板用釘打ち機２８等を駆動することができる。
【００６８】
この結果、１台の空気圧縮機１で低圧機器と高圧機器または圧力の異なる２つの低圧機器を同時に使用することができ、空気圧縮機１の使用範囲を広めることができる。
【００６９】
また、低圧用アダプタ継手２１は、リリーフ弁２５によって高圧空気が低圧機器側に流出するのを防止することができるから、低圧機器の損傷を防止して、信頼性、安全性を向上することができる。また、リリーフ弁２５は、高圧空気の一部を外部に放出するときの排気音で高圧用減圧弁１１の調整に誤りがあることを作業者に知らせることができる。
【００７０】
さらに、低圧用アダプタ継手２１は、その流入側取付口２２を高圧用継手１４の高圧用接続口１４Ｂにワンタッチで取付けることができ、該低圧用アダプタ継手２１の取付け、取外し作業を容易に行なうことができる。
【００７１】
次に、図８および図９は本発明の第２の実施の形態を示している。本実施の形態の特徴は、低圧用アダプタ継手を高圧用継手に交換して減圧手段に取付け、取外し可能に取付ける構成としたことにある。なお、本実施の形態では、前述した第１の実施の形態と同一の構成要素に同一の符号を付し、その説明を省略するものとする。
【００７２】
３１は高圧用継手１４に交換して分岐管１３に取付け、取外し可能に取付けられた本実施の形態による低圧用アダプタ継手で、該低圧用アダプタ継手３１は、図９に示す如く、軸方向の一側に位置して高圧側の分岐管１３に取付けられる流入側取付口３２と、他側に位置して壁板用釘打ち機２７の接続口２７Ｂまたは床板用釘打ち機２８の接続口２８Ｂが取付け、取外し可能に取付けられる流出側取付口３３と、前記流入側取付口３２と流出側取付口３３とを連通する連通路３４と、前記流入側取付口３２と流出側取付口３３との間に位置し、該連通路３４に接続して設けられた規制手段としてのリリーフ弁３５とによって大略構成されている。
【００７３】
ここで、流入側取付口３２は、外周側に左ねじ（１つ山）が刻設され、これにより、高圧用継手１４の接続口１４Ａと同様に、高圧側の分岐管１３の左ねじ（１つ谷）からなる雌ねじに螺合して取付けることができる。
【００７４】
また、流出側取付口３３は、壁板用釘打ち機２７の接続口２７Ｂまたは床板用釘打ち機２８の接続口２８Ｂがワンタッチで接続することができる形状、即ち、低圧用継手１０の低圧用接続口１０Ｂとほぼ同じ形状（径寸法）に形成されている。
【００７５】
さらに、リリーフ弁３５は、第１の実施の形態のリリーフ弁２５と同様に、弁室３５Ａ、弁座３５Ｂ、弁体３５Ｃ、ばね部材３５Ｄおよび排気ポート３５Ｅによって構成されている。
【００７６】
かくして、このように構成される本実施の形態においても、前述した第１の実施の形態とほぼ同様の作用効果を得ることができる。特に、本実施の形態では、低圧用アダプタ継手３１は、高圧用継手１４に交換して分岐管１３に取付ける構成としているから、継手周りを簡素化することができ、取扱い性を向上することができる。
【００７７】
次に、図１０は本発明の第３の実施の形態を示している。本実施の形態の特徴は、規制手段は、減圧手段から低圧機器を駆動する圧力よりも高圧な圧縮空気が供給されたときに、流入側取付口から流出側取付口への空気の流れを遮断する遮断弁として形成したことにある。なお、本実施の形態では、前述した第１の実施の形態と同一の構成要素に同一の符号を付し、その説明を省略するものとする。
【００７８】
４１は高圧用継手１４に取付け、取外し可能に取付けられる本実施の形態による低圧用アダプタ継手で、該低圧用アダプタ継手４１は、高圧用継手１４の高圧用接続口１４Ｂに着脱される急速継手として形成されている。また、低圧用アダプタ継手４１は、軸方向の一側に位置して高圧用継手１４の高圧用接続口１４Ｂに取付けられる流入側取付口４２と、他側に位置して壁板用釘打ち機２７の接続口２７Ｂまたは床板用釘打ち機２８の接続口２８Ｂが取付け、取外し可能に取付けられる流出側取付口４３と、前記流入側取付口４２と流出側取付口４３とを連通する連通路４４と、前記流入側取付口４２と流出側取付口４３との間に位置し、該連通路４４に接続して設けられた規制手段としての遮断弁４５とによって大略構成されている。
【００７９】
ここで、遮断弁４５は、連通路４４の途中に位置して該連通路４４と直交する方向に延びて設けられた弁室４５Ａと、該弁室４５Ａ内に移動可能に設けられ、前記連通路４４と連通可能な通気孔４５Ｂ１を有する弁体４５Ｂと、前記弁室４５Ａの長さ方向の一側に設けられ、該弁体４５Ｂを付勢して通気孔４５Ｂ１と連通路４４とを連通させるばね部材４５Ｃと、連通路４４の前記弁室４５Ａよりも上流側位置と前記弁室４５Ａの長さ方向の他側とを連通して設けられたパイロット通路４５Ｄと、弁室４５Ａ内で弁体４５Ｂによって画成され、該パイロット通路４５Ｄから流入する高圧空気を受圧する受圧室４５Ｅとによって構成されている。
【００８０】
そして、遮断弁４５は、常時はばね部材４５Ｃによって弁体４５Ｂを付勢し、該弁体４５Ｂの通気孔４５Ｂ１を連通路４４に連通させることにより、流出側取付口４３に低圧空気を供給することができる。一方、１．０ＭＰａを越える高圧空気が供給されたときには、この高圧空気がパイロット通路４４Ｄを介して受圧室４５Ｅに流入し、ばね部材４５Ｃに抗して弁体４５Ｂを押動する。これにより、弁体４５Ｂの通気孔４５Ｂ１が連通路４４からずれるから、該連通路４４を遮断して高圧空気が流出側取付口２３側に流れるのを防止することができる。
【００８１】
かくして、このように構成される本実施の形態においても、前述した第１の実施の形態とほぼ同様の作用効果を得ることができる。特に、本実施の形態では、例えば高圧用減圧弁１１の圧力調整を高めに間違えた場合には、低圧用アダプタ継手４１に接続された低圧機器が駆動しないようにすることができるから、空気圧縮機１から離れた場所で作業を行なう場合でも、圧力調整に誤りがあることを作業者に知らせて適切な作業を行なわせることができる。
【００８２】
なお、第１の実施の形態では、低圧用減圧弁７、低圧用圧力計８、低圧側の分岐管９、低圧用継手１０からなる低圧ユニットと高圧用減圧弁１１、高圧用圧力計１２、高圧側の分岐管１３、高圧用継手１４からなる高圧ユニットとを設け、高圧用継手１４に低圧用アダプタ継手２１を取付けた場合を例に挙げて説明した。しかし、本発明はこれに限るものではなく、例えば図１１、図１２に示す第１の変形例による空気圧縮機５１のように、高圧用減圧弁１１、高圧用圧力計１２、高圧側の分岐管１３、高圧用継手１４からなる高圧ユニットを２つ設ける構成としてもよい。
【００８３】
この場合には、図１１に示す如く、一方の高圧用継手１４に低圧用アダプタ継手２１を取付けることにより、低圧機器である床板用釘打ち機２８と高圧機器であるコンクリート用釘打ち機２９とを同時に使用することができる。
【００８４】
また、図１２に示す如く、２個の高圧用継手１４にそれぞれ低圧用アダプタ継手２１を取付けることにより、低圧機器である壁板用釘打ち機２７と床板用釘打ち機２８とを同時に使用することができる。
【００８５】
また、第２の実施の形態では、低圧用減圧弁７、低圧用圧力計８、低圧側の分岐管９、低圧用継手１０からなる低圧ユニットと高圧用減圧弁１１、高圧用圧力計１２、高圧側の分岐管１３、高圧用継手１４からなる高圧ユニットとを設け、高圧用継手１４に交換して低圧用アダプタ継手３１を取付けた場合を例に挙げて説明した。しかし、本発明はこれに限るものではなく、例えば図１３、図１４に示す第２の変形例による空気圧縮機６１のように、高圧用減圧弁１１、高圧用圧力計１２、高圧側の分岐管１３、高圧用継手１４からなる高圧ユニットを２個設ける構成としてもよい。
【００８６】
この場合には、図１３に示す如く、一方の高圧用継手１４に交換して低圧用アダプタ継手３１を取付けることにより、低圧機器である床板用釘打ち機２８と高圧機器であるコンクリート用釘打ち機２９とを同時に使用することができる。また、図１４に示す如く、２個の高圧用継手１４に交換してそれぞれ低圧用アダプタ継手３１を取付けることにより、低圧機器である壁板用釘打ち機２７と床板用釘打ち機２８とを同時に使用することができる。
【００８７】
また、第２の実施の形態では、空気圧縮機１には、低圧用減圧弁７、低圧用圧力計８、低圧側の分岐管９、低圧用継手１０からなる低圧ユニットと高圧用減圧弁１１、高圧用圧力計１２、高圧側の分岐管１３、高圧用継手１４からなる高圧ユニットとを設けた場合を例に挙げて説明した。しかし、本発明はこれに限らず、例えば図１５に示す第３の変形例のように、高圧用減圧弁１１、高圧用圧力計１２、高圧側の分岐管１３がそれぞれ１個ずつ設けられた高圧専用の空気圧縮機７１に低圧用アダプタ継手引を取付ける構成としてもよい。この場合には、高圧専用の空気圧縮機７１でも低圧機器を使用することができる。
【００８８】
一方、第３の実施の形態では、遮断弁４５が設けられた低圧用アダプタ継手４１を高圧用継手１４に取付けた場合を例に挙げて説明した。しかし、本発明はこれに限るものではなく、例えば遮断弁４５が設けられた低圧用アダプタ継手４１を高圧用減圧弁１１の吐出口をなす高圧側の分岐管１３に取付ける構成としてもよい。
【００８９】
また、各実施の形態では、水平対向型の２段式空気圧縮機をなす圧縮部５を例に挙げて説明したが、本発明はこれに限らず、例えば、１段または３段以上の空気圧縮機を圧縮部として用いてもよく、また、シリンダの配置形態もＶ型等の他の形態としてもよい。さらに、スクロール式圧縮機、スクリュ式圧縮機を用いてもよい。
【００９０】
また、各実施の形態では、圧縮機として２本の貯留タンク２，３が一体的に設けられたタンク一体型の空気圧縮機１を例に挙げて説明したが、本発明はこれに限らず、例えば、貯留タンクを１本とする構成としてもよい。
【００９１】
さらに、各実施の形態では、使用する作業者が継手を交換することができるようにした。しかし、本発明はこれに限らず、例えば使用形態に応じて工場で予めセッティングして出荷するようにしてもよい。
【００９２】
【発明の効果】
以上詳述した如く、請求項１の発明によれば、高圧な圧縮空気で駆動する高圧機器が取付け、取外し可能に接続される高圧用継手に低圧用アダプタ継手を取付け、取外し可能に取付け、該低圧用アダプタ継手は、前記高圧用継手の高圧用接続口に取付けられる流入側取付口と、前記高圧空気よりも低い低圧空気で駆動する低圧機器が取付け、取外し可能に取付けられる流出側取付口と、前記流入側取付口と流出側取付口との間に設けられ所定値以上の高圧空気が該流出側取付口に流出するのを規制する規制手段とによって構成している。
【００９３】
従って、減圧手段を調整して吐出側の圧力を高圧機器の使用圧力に設定し、高圧用継手の高圧用接続口に高圧機器を接続することにより、該高圧機器を使用して作業を行なうことができる。
【００９４】
しかも、低圧機器を使用する場合には、高圧用継手の高圧用接続口に低圧用アダプタ継手の流入側取付口を取付け、該低圧用アダプタ継手の流出側取付口に低圧機器を取付けることにより、高圧用継手に低圧用アダプタ継手を介して低圧機器を接続することができ、該低圧機器を使用して作業を行なうことができる。
【００９５】
この結果、１つの減圧手段、高圧継手だけが設けられている空気圧縮機でも、低圧機器と高圧機器の両方を使用することができ、空気圧縮機の使用範囲を広めることができる。
【００９６】
請求項２の発明によれば、減圧手段の吐出口に取付けられ、高圧な圧縮空気で駆動する高圧機器が接続される高圧用継手に交換して前記減圧手段に低圧用アダプタ継手を取付け、取外し可能に取付け、該低圧用アダプタ継手は、前記減圧手段の吐出口に取付けられる流入側取付口と、前記高圧空気よりも低い低圧空気で駆動する低圧機器が取付け、取外し可能に取付けられる流出側取付口と、前記流入側取付口と流出側取付口との間に設けられ所定値以上の高圧空気が該流出側取付口に流出するのを規制する規制手段とによって構成している。従って、上述した請求項１の発明による作用効果に加え、継手周りを簡素化することができ、取扱い性を向上することができる。
【００９７】
請求項３の発明によれば、規制手段は、減圧手段から低圧機器を駆動する圧力よりも高圧な圧縮空気が供給されたときに、この圧縮空気の一部を外部に放出するリリーフ弁として形成している。従って、規制手段は、減圧手段から高圧な圧縮空気が供給されたときに、この圧縮空気の一部を外部に放出し、低圧機器に適した低圧空気だけを該低圧機器に供給することができ、低圧機器の損傷を防止することができる。また、リリーフ弁は、高圧空気の一部を外部に放出するときの排気音で減圧手段の調整に誤りがあることを作業者に知らせることができる。
【００９８】
請求項４の発明によれば、規制手段は、減圧手段から低圧機器を駆動する圧力よりも高圧な圧縮空気が供給されたときに、流入側取付口から流出側取付口への空気の流れを遮断する遮断弁として形成している。従って、規制手段は、減圧手段から高圧な圧縮空気が供給されたときに、流入側取付口と流出側取付口との間で空気の流れを遮断し、低圧機器への高圧空気の供給を阻止することができ、低圧機器の損傷を防止することができる。
【００９９】
請求項５の発明によれば、空気を圧縮する圧縮手段と、該圧縮手段によって圧縮された空気を高圧と低圧の２つの値に減圧して吐出する２つの減圧手段と、一方の減圧手段の吐出側に接続され、高圧な圧縮空気で駆動する高圧機器が取付け、取外し可能に接続される高圧用接続口が設けられた高圧用継手と、他方の減圧手段の吐出側に接続され、前記高圧空気よりも低圧な圧縮空気で駆動する低圧機器が取付け、取外し可能に接続される低圧用接続口が設けられた低圧用継手と、前記高圧用継手に取付け、取外し可能に取付けられる低圧用アダプタ継手とからなり、前記低圧用アダプタ継手は、前記高圧用継手の高圧用接続口に取付けられる流入側取付口と、前記低圧機器が取付け、取外し可能に取付けられる流出側取付口と、前記流入側取付口と流出側取付口との間に設けられ所定値以上の高圧空気が該流出側取付口に流出するのを規制する規制手段とによって構成している。
【０１００】
従って、高圧用継手の高圧用接続口に高圧機器を接続することにより、該高圧機器を使用して作業を行なうことができる。
【０１０１】
また、低圧用継手の低圧用接続口に低圧機器を接続することにより、該低圧機器を使用して作業を行なうことができる。
【０１０２】
一方、低圧用減圧手段に接続した低圧機器とは異なる低圧機器を使用する場合には、高圧用継手の高圧用接続口に低圧用アダプタ継手の流入側取付口を取付ける。この状態で、低圧用アダプタ継手の流出側取付口に他の低圧機器を取付けることにより、高圧用継手に低圧用アダプタ継手を介して異なる低圧機器を接続することができ、該低圧機器を使用して作業を行なうことができる。
【０１０３】
この結果、１台の空気圧縮機で低圧機器と高圧機器または２つの低圧機器を同時に使用することができ、空気圧縮機の使用範囲を広めることができる。
【０１０４】
請求項６の発明によれば、低圧用アダプタ継手を、高圧な圧縮空気で駆動する高圧機器が接続される圧縮手段側の高圧用接続口に取付け、取外し可能に取付けられる流入側取付口と、前記高圧空気よりも低い低圧空気で駆動する低圧機器が取付け、取外し可能に取付けられる流出側取付口と、前記流入側取付口と流出側取付口との間に設けられ所定値以上の高圧空気が該流出側取付口に流出するのを規制する規制手段とによって構成している。従って、一般的な空気圧縮機の高圧用継手に当該低圧用アダプタ継手を取付けるだけで、低圧機器を使用できるようにすることができる。また、高圧空気によって低圧機器が損傷するのも防止することができる。
【図面の簡単な説明】
【図１】本発明の第１の実施の形態に適用されるタンク一体型の圧縮機を示す外観斜視図である。
【図２】タンク一体型圧縮機をカバーを取外した状態で示す外観斜視図である。
【図３】図２中の低圧用減圧弁、低圧側の分岐管、低圧用継手等を拡大して示す要部拡大図である。
【図４】図２中の高圧用減圧弁、高圧側の分岐管、高圧用継手、低圧用アダプタ継手等を拡大して示す要部拡大図である。
【図５】低圧用アダプタ継手を取付けた空気圧縮機、壁板用釘打ち機、床板用釘打ち機を示す構成図である。
【図６】低圧用アダプタ継手を拡大して示す縦断面図である。
【図７】低圧用アダプタ継手を取外した空気圧縮機、壁板用釘打ち機、コンクリート用釘打ち機を示す構成図である。
【図８】本発明の第２の実施の形態による低圧用アダプタ継手を取付けた空気圧縮機、壁板用釘打ち機、床板用釘打ち機を示す構成図である。
【図９】低圧用アダプタ継手を拡大して示す縦断面図である。
【図１０】本発明の第３の実施の形態による低圧用アダプタ継手を示す縦断面図である。
【図１１】本発明の第１の変形例による空気圧縮機を床板用釘打ち機とコンクリート用釘打ち機を使用する形態で示す構成図である。
【図１２】空気圧縮機を壁板用釘打ち機と床板用釘打ち機を使用する形態で示す構成図である。
【図１３】本発明の第２の変形例による空気圧縮機を床板用釘打ち機とコンクリート用釘打ち機を使用する形態で示す構成図である。
【図１４】空気圧縮機を壁板用釘打ち機と床板用釘打ち機を使用する形態で示す構成図である。
【図１５】本発明の第３の変形例による高圧専用の空気圧縮機を床板用釘打ち機を使用する形態で示す構成図である。
【符号の説明】
１，５１，６１，７１　空気圧縮機
２，３　貯留タンク（圧縮手段）
５　圧縮部（圧縮手段）
７　低圧用減圧弁
９　低圧側の分岐管（吐出口）
１０　低圧用継手
１０Ａ，１４Ａ　接続口
１０Ｂ　低圧用接続口
１１　高圧用減圧弁
１３　高圧側の分岐管（吐出口）
１４　高圧用継手
１４Ｂ　低圧用接続口
２１，３１，４１　低圧用アダプタ継手
２２，３２，４２　流入側取付口
２３，３３，４３　流出側取付口
２５，３５　リリーフ弁（規制手段）
２７　壁板用釘打ち機（低圧機器）
２７Ｂ，２８Ｂ，２９Ｂ　接続口
２８　床板用釘打ち機（低圧機器）
２９　コンクリート用釘打ち機（高圧機器）
４５　遮断弁（規制手段）
【図１】
2004036401.tif 000003
【図２】
2004036401.tif 000004
【図３】
2004036401.tif 000005
【図４】
2004036401.tif 000006
【図５】
2004036401.tif 000007
【図６】
2004036401.tif 000008
【図７】
2004036401.tif 000009
【図８】
2004036401.tif 000010
【図９】
2004036401.tif 000011
【図１０】
2004036401.tif 000012
【図１１】
2004036401.tif 000013
【図１２】
2004036401.tif 000014
【図１３】
2004036401.tif 000015
【図１４】
2004036401.tif 000016
【図１５】
2004036401.tif 000017